(57)【特許請求の範囲】
【請求項１】
ドット単位に設けられ、用紙と対向して配置された印刷ヘッドと、
前記用紙を搬送する用紙搬送手段と、
一定時間毎に所定量の印刷データを転送するデータ転送回路，転送された印刷データをラッチするラッチ回路、ラッチされた印刷データに応じて印刷ヘッドを駆動するヘッド駆動回路からなり、前記用紙搬送手段による用紙の搬送に伴なって前記用紙に印刷する印刷制御手段と、
指定された印刷サイズに応じて前記用紙搬送手段による用紙の搬送速度を変更する速度変更手段とを具備し、
前記速度変更手段による用紙搬送速度の変更により前記印刷データの用紙に対する印刷サイズの変更を行なうようにしたことを特徴とする印刷装置。
【請求項２】
前記速度変更手段は、前記用紙の搬送速度を任意の複数の速度に変更する速度変更手段であり、前記印刷データの用紙に対する印刷サイズを全角及び任意の拡大，縮小倍率に変更するようにしたことを特徴とする請求項１記載の印刷装置。
【請求項３】
ドット単位に設けられ、用紙と対向して配置された印刷ヘッドと、前記用紙を搬送する用紙搬送手段とを備えた印刷装置を制御するコンピュータを機能させるための印刷制御プログラムを記録した記録媒体であって、
前記コンピュータを、
一定時間毎に所定量の印刷データを転送し，この転送された印刷データをラッチし、このラッチされた印刷データに応じて印刷ヘッドを駆動して、前記用紙搬送手段による用紙の搬送に伴なって、前記用紙に印刷する印刷制御手段、
指定された印刷サイズに応じて前記用紙搬送手段による用紙の搬送速度を変更する速度変更手段、
として機能させ、前記速度変更手段による用紙搬送速度の変更により前記印刷データの用紙に対する印刷サイズの変更を行なわせるための印刷制御プログラムを記録した記録媒体。
【発明の詳細な説明】
【０００１】
【発明の属する技術分野】
本発明は、印刷倍率の変更機能を有する印刷装置、及び印刷制御プログラムを記録した記録媒体に関する。
【０００２】
【従来の技術】
例えばサーマルプリンタを備えた印刷装置にあって、文字，数字，記号等のキャラクタデータを印刷する場合、印刷データとなる個々のキャラクタデータは、キャラクタジェネレータより１文字の縦横ｍ×ｎドットの印字パターンデータとして読み出され、１ドットラインずつ所定の間隔で熱転写印字される。
【０００３】
ここで、従来の印刷装置にあっては、印字する文字のサイズに応じて異なるドット分解能のキャラクタデータを別々にキャラクタジェネレータに記憶しており、例えば通常の文字サイズに応じたキャラクタデータを２４×２４ドットの構成とし、縮小文字サイズに応じたキャラクタデータを１６×１６ドットの構成として記憶している。
【０００４】
これにより、通常（全角）文字サイズで指定された印刷データは、２４×２４ドットのキャラクタデータが読み出されて印字され、また、縮小文字サイズで指定された印刷データは、１６×１６ドットのキャラクタデータが読み出されて印字される。
【０００５】
【発明が解決しようとする課題】
しかしながら、前記従来の印刷装置のように、通常文字サイズのキャラクタデータよりも少ないドット数で構成されたキャラクタデータを使用して縮小印字を行なうと、特に、複雑な字画をした漢字等の文字の場合、個々の字画を正確に表現できなくなり、印字品質が大幅に低下する問題がある。
【０００６】
本発明は、前記のような問題に鑑みなされたもので、その目的は、縮小印字を行なった場合でも、文字の構成を明確に表現して印刷できるようにすることである。
【０００７】
【課題を解決するための手段】
この発明の手段は次の通りである。
ドット単位に設けられ、用紙と対向して配置された印刷ヘッドと、前記用紙を搬送する用紙搬送手段と、一定時間毎に所定量の印刷データを転送するデータ転送回路，転送された印刷データをラッチするラッチ回路、ラッチされた印刷データに応じて印刷ヘッドを駆動するヘッド駆動回路からなり、前記用紙搬送手段による用紙の搬送に伴なって前記用紙に印刷する印刷制御手段と、指定された印刷サイズに応じて前記用紙搬送手段による用紙の搬送速度を変更する速度変更手段とを具備するものである。
【０００８】
したがって、指定された印刷サイズに応じて任意に用紙搬送速度を変更して、印刷データを用紙に対して印刷する際に印刷データのサイズ変更が容易にできる。
【０００９】
【発明の実施の形態】
以下図面により本発明の実施の形態について説明する。
図１は本発明の実施形態に係わる印刷装置を搭載したＥＣＲ（電子式キャッシュレジスタ）の構成を示すブロック図である。
【００１０】
ＥＣＲは、ＣＰＵ１１を備えている。
ＣＰＵ１１は、入力装置１２から入力されるスイッチ・キー操作データに応じて、記憶装置１３に予め記憶されているシステムプログラムデータや該記憶装置１３を介して記憶媒体１３ａから読み出される各種のプログラムデータ、通信回線１３ｂを介して転送され記憶装置１３に記憶された各種のプログラムデータを起動させ、ＲＡＭ１４をワークメモリとして回路各部の動作を制御するもので、このＣＰＵ１１には、前記入力装置１２、記憶装置１３、ＲＡＭ１４が接続される他に、ドロア装置１５、表示装置１６が接続され、また、プリンタ制御部１７を介してサーマルプリンタ１８が接続される。
【００１１】
入力装置１２には、電源の投入／遮断を行なうためのＯＮ／ＯＦＦスイッチをはじめ、金額の入力を行なうためのテンキー、金額登録を指示する「ＰＬＵ」キー、任意の商品金額に対応付けられた商品番号キー、合計金額の計算を指示する合計キー、ドロアの開放を指示するドロアキー、伝票印字を指示する「ＳＬＩＰ」キー等、様々なキー群が備えられる。
【００１２】
また、記憶装置１３には、このＥＣＲの動作を制御するシステムプログラムデータが記憶される他に、前記入力装置１２によりキー入力可能な全ての文字，数字，記号に対応するキャラクタデータが、例えば２４×２４ドットのパターン構成として記憶されるキャラクタジェネレータが備えられる。
【００１３】
ＲＡＭ１４には、キー入力された数値データや演算処理された数値データを記憶する入力データレジスタや演算結果レジスタ等が備えられると共に、表示装置１６に表示すべき表示データを記憶する表示データレジスタやサーマルプリンタ１８により印刷すべき印刷データを記憶する印刷データレジスタ、そして、各種の処理の過程においてＣＰＵ１１に入出力されるデータが必要に応じ一時的に記憶されるワークエリア等が備えられる。
【００１４】
ドロア装置１５には、前記入力装置１２からの指示に応じて、ドロアを動作させるための制御部及び駆動機構等が備えられる。
表示装置１６には、例えば液晶表示装置が使用され、前記入力装置１２の入力操作に応じた様々なデータが表示される。
【００１５】
そして、サーマルプリンタ１８は、例えば１４８ドットの発熱素子を１ライン状に配列したライン型のサーマルヘッドを備えてなり、例えば伝票を印刷するためのスリッププリンタやレシートプリンタとして使用される。
【００１６】
図２は前記印刷装置を搭載したＥＣＲにおけるプリンタ制御部１７及びサーマルプリンタ１８の内部構成を示すブロック図である。
前記プリンタ制御部１７及びサーマルプリンタ１８は、印字速度制御回路１９から一定時間間隔の印字速度制御信号が供給されるデータ制御部２０と、印刷データに応じた印字文字サイズ（全角・半角・倍角等）の指定信号が供給される紙送り制御部２１からなり、プリンタ制御部１７側のデータ制御部２０には、データ転送回路２２、ラッチ制御回路２３、ストローブ制御回路２４が備えられ、サーマルプリンタ１８側のデータ制御部２０には、印字データレジスタ２５、印字バッファ２６、印字制御部２７、サーマルヘッド２８が備えられる。
【００１７】
また、プリンタ制御部１７側の紙送り制御部２１には、紙送り制御回路２９が備えられ、サーマルプリンタ１８側の紙送り制御部２１には、ステッピングモータ３０、プラテン３１が備えられる。
【００１８】
前記データ制御部２０のデータ転送回路２２は、ＣＰＵ１１の制御により前記ＲＡＭ１４内の印刷データレジスタから読み出されてプリンタ制御部１７に与えられた１ドットライン分の印刷データを、印字速度制御回路１９から供給される一定時間間隔の印字速度制御信号に応じて印字データレジスタ２５に転送すると共に、その転送終了信号をラッチ制御回路２３に供給する。
【００１９】
ラッチ制御回路２３は、前記データ転送回路２２から供給される転送終了信号に応じて、データラッチ信号を印字バッファ２６に出力すると共に、そのラッチ終了信号をストローブ制御回路２４に供給する。
【００２０】
前記印字データレジスタ２５に転送された１ライン印字データは、ラッチ信号に応じて印字バッファ２６に記憶され、ストローブ制御回路２４からのストローブ信号に応じて印字制御部２７を介してサーマルヘッド２８に出力されて１ライン印字される。
【００２１】
一方、紙送り制御部２１の紙送り制御回路２９は、印字速度制御回路１９から供給される１ライン印字データの文字サイズ指定信号に応じた紙送り量の紙送り制御信号をステッピングモータ３０に出力するもので、このステッピングモータ３０は、前記文字サイズ指定信号が全角指定信号である場合の一定時間の回転量を基準として、半角指定信号である場合には一定時間にその１／２の回転量で回転するように、また、倍角指定信号である場合には一定時間にその２倍の回転量で回転するように紙送り制御される。
【００２２】
図３は前記印刷装置を搭載したＥＣＲにおけるサーマルプリンタ１８の紙送り制御部２１に備えられたプラテン３１の回転量を示す図である。
本実施形態におけるステッピングモータ３０では、紙送り制御信号の１パルス毎にプラテン３１を（Ａ）→（Ｃ）の距離で１／４回転させるもので、１ライン印字データの印字に際し、全角印字の場合には、一定時間に２パルスの紙送り制御信号が出力され、プラテン３１は（Ａ）→（Ｃ）→（Ｅ）に相当する距離で１／２回転され、記録紙を搬送する。
【００２３】
また、１ライン印字データの印字に際し、半角印字の場合には、一定時間に１パルスの紙送り制御信号が出力され、プラテン３１は（Ａ）→（Ｃ）に相当する距離で１／４回転され、記録紙を搬送する。
【００２４】
また、１ライン印字データの印字に際し、倍角印字の場合には、一定時間に４パルスの紙送り制御信号が出力され、プラテン３１は（Ａ）→（Ｃ）→（Ｅ）→（Ｇ）→（Ａ）に相当する距離で１回転され、記録紙を搬送する。
【００２５】
つまり、前記紙送り制御部２１は、１ドットラインの印字に際し、全角指定された１ライン印字データは、サーマルヘッド２８に対し記録紙を副走査方向に一定時間にプラテン３１の１／２回転の距離（Ａ）〜（Ｅ）で搬送させて印字し、半角指定された１ライン印字データは、サーマルヘッド２８に対し記録紙を副走査方向に一定時間にプラテン３１の１／４回転の距離（Ａ）〜（Ｃ）で搬送させて印字し、倍角指定された１ライン印字データは、サーマルヘッド２８に対し記録紙を副走査方向に一定時間にプラテン３１の１回転の距離（Ａ）〜（Ａ）で搬送させて印字するように構成する。
【００２６】
この場合、印刷データに使用されるキャラクタデータは、全て記憶装置１３のキャラクタジェネレータから読み出される２４×２４ドットのキャラクタパターンデータが使用されるもので、全角指定印字に対し半角指定印字の際には、前記２４×２４ドットのキャラクタパターンデータが縦方向に１／２に圧縮されて印字され、全角指定印字に対し倍角指定印字の際には、前記２４×２４ドットのキャラクタパターンデータが縦方向に２倍に伸張されて印字される。
【００２７】
次に、前記構成による印刷装置を搭載したＥＣＲの動作について説明する。
図４は前記ＥＣＲのプリンタ制御部１７及びサーマルプリンタ１８における全角印字指定の際の１ドットライン印字動作を示すタイミングチャートである。
【００２８】
図５は前記ＥＣＲのプリンタ制御部１７及びサーマルプリンタ１８における半角印字指定の際の１ドットライン印字動作を示すタイミングチャートである。
図６は前記ＥＣＲのプリンタ制御部１７及びサーマルプリンタ１８における倍角印字指定の際の１ドットライン印字動作を示すタイミングチャートである。
【００２９】
図７は前記ＥＣＲのプリンタ制御部１７及びサーマルプリンタ１８における全角印字指定の際の印字動作に伴なう１行印刷データとその印刷状態を示す図である。
【００３０】
図８は前記ＥＣＲのプリンタ制御部１７及びサーマルプリンタ１８における半角印字指定の際の印字動作に伴なう１行印刷データとその印刷状態を示す図である。
【００３１】
図９は前記ＥＣＲのプリンタ制御部１７及びサーマルプリンタ１８における倍角印字指定の際の印字動作に伴なう１行印刷データとその印刷状態を示す図である。
【００３２】
図１０は前記ＥＣＲのプリンタ制御部１７及びサーマルプリンタ１８により半角印字，全角印字，倍角印字を行なった場合のレシート印刷状態を示す図である。
【００３３】
まず、図７（Ａ）に示すように、プリンタ制御部１７に与えられた１ライン印字データの先頭ビットに、全角指定フラグがセットされている場合には、図４のタイミングチャートで示すように、ストローブ制御回路２４から３分割のストローブ信号が発生されて１ライン印字データがサーマルヘッド２８から記録紙に印字出力される一定時間の間に、紙送り制御回路２９から２パルス（２周期分）の紙送り制御信号がステッピングモータ３０に出力され、プラテン３１は１／２回転されて（Ａ）→（Ｃ）→（Ｅ）の距離（図３参照）で前記記録紙を副走査方向に搬送する。
【００３４】
これにより、前記全角印字指定された１ライン印字データは、図７（Ｂ）に示すように、前記プラテン３１が１／２回転する距離（Ａ）〜（Ｅ）の副走査幅で記録紙に印字され、この１ライン印字動作が２４ドット印字ライン分繰り返し行なわれることで、全角指定された１行印刷データが、例えば図１０のレシート印刷の中段に示すように印刷される。
【００３５】
次に、図８（Ａ）に示すように、プリンタ制御部１７に与えられた１ライン印字データの先頭ビットに、半角指定フラグがセットされている場合には、図５のタイミングチャートで示すように、ストローブ制御回路２４から３分割のストローブ信号が発生されて１ライン印字データがサーマルヘッド２８から記録紙に印字出力される一定時間の間に、紙送り制御回路２９から１パルス（１周期分）の紙送り制御信号がステッピングモータ３０に出力され、プラテン３１は１／４回転されて（Ａ）→（Ｃ）の距離（図３参照）で前記記録紙を副走査方向に搬送する。
【００３６】
これにより、前記全角印字指定された１ライン印字データは、図８（Ｂ）に示すように、前記プラテン３１が１／４回転する前記全角印字の場合の１／２の距離（Ａ）〜（Ｃ）の副走査幅で記録紙に印字され、この１ライン印字動作が２４ドット印字ライン分繰り返し行なわれることで、半角指定された１行印刷データが、例えば図１０のレシート印刷の上段に示すように印刷される。
【００３７】
次に、図９（Ａ）に示すように、プリンタ制御部１７に与えられた１ライン印字データの先頭ビットに、倍角指定フラグがセットされている場合には、図６のタイミングチャートで示すように、ストローブ制御回路２４から３分割のストローブ信号が発生されて１ライン印字データがサーマルヘッド２８から記録紙に印字出力される一定時間の間に、紙送り制御回路２９から４パルス（４周期分）の紙送り制御信号がステッピングモータ３０に出力され、プラテン３１は１回転されて（Ａ）→（Ｃ）→（Ｅ）→（Ｇ）→（Ａ）の距離（図３参照）で前記記録紙を副走査方向に搬送する。
【００３８】
これにより、前記倍角印字指定された１ライン印字データは、図９（Ｂ）に示すように、前記プラテン３１が１回転する前記全角印字の場合の２倍の距離（Ａ）〜（Ａ）の副走査幅で記録紙に印字され、この１ライン印字動作が２４ドット印字ライン分繰り返し行なわれることで、倍角指定された１行印刷データが、例えば図１０のレシート印刷の下段に示すように印刷される。
【００３９】
一方、前記紙送り制御回路２９からの紙送り制御信号の１パルス（１周期分）によるステッピングモータ３０の回転動作に応じてプラテン３１を（Ａ）→（Ｂ）の距離で１／８回転させる構成とすれば、全角サイズの１／４の縦幅を単位として印字モードの拡大／縮小の調整制御を行なうことができる。
【００４０】
図１１は前記ＥＣＲのプリンタ制御部１７及びサーマルプリンタ１８における１／４縮小印字及び３／４縮小印字指定の際の各１ドットライン印字動作を示すタイミングチャートである。
【００４１】
すなわち、プリンタ制御部１７に与えられた１ライン印字データの先頭ビットに、１／４角指定フラグがセットされている場合には、図１１の前半のタイミングチャートで示すように、ストローブ制御回路２４から３分割のストローブ信号が発生されて１ライン印字データがサーマルヘッド２８から記録紙に印字出力される一定時間の間に、紙送り制御回路２９から１パルス（１周期分）の紙送り制御信号がステッピングモータ３０に出力され、プラテン３１は１／８回転されて（Ａ）→（Ｂ）の距離（図３参照）で前記記録紙を副走査方向に搬送する。
【００４２】
これにより、前記１／４角印字指定された１ライン印字データは、前記プラテン３１が１／８回転する前記全角印字の場合の１／４の距離（Ａ）〜（Ｂ）の副走査幅で記録紙に印字される。
【００４３】
また、プリンタ制御部１７に与えられた１ライン印字データの先頭ビットに、３／４角指定フラグがセットされている場合には、図１１の後半のタイミングチャートで示すように、ストローブ制御回路２４から３分割のストローブ信号が発生されて１ライン印字データがサーマルヘッド２８から記録紙に印字出力される一定時間の間に、紙送り制御回路２９から３パルス（３周期分）の紙送り制御信号がステッピングモータ３０に出力され、プラテン３１は３／８回転されて（Ｂ）→（Ｃ）→（Ｄ）→（Ｅ）の距離（図３参照）で前記記録紙を副走査方向に搬送する。
【００４４】
これにより、前記３／４角印字指定された１ライン印字データは、前記プラテン３１が３／８回転する前記全角印字の場合の３／４の距離（Ｂ）〜（Ｅ）の副走査幅で記録紙に印字される。
【００４５】
なお、このようにプラテン３１を１／８単位で回転させる場合の全角印字は、紙送り制御回路２９からの４パルス（４周期分）の紙送り制御信号によりステッピングモータ３０を回転させ、プラテン３１を（Ａ）→（Ｂ）→（Ｃ）→（Ｄ）→（Ｅ）の距離で１／２回転させて記録紙を搬送することで行なわれる。
【００４６】
したがって、前記構成の印刷装置を搭載したＥＣＲによれば、１ドットライン印字データの印字に際し、該１ライン印字データがデータ制御部２０のサーマルヘッド２８から印字出力される一定時間の間に、半角文字サイズが指定されている場合には、紙送り制御部２１により全角文字サイズ指定時の１／２の距離でプラテン３１を回転させて紙送り制御し、記録紙を副走査方向に全角の際の１／２の幅で搬送させて１ライン印字動作し、また、倍角文字サイズが指定されている場合には、全角文字サイズ指定時の２倍の距離でプラテン３１を回転させて紙送り制御し、記録紙を副走査方向に全角の際の２倍の幅で搬送させて１ライン印字動作するので、全角指定印字に対し半角指定印字の際には、２４×２４ドットのキャラクタパターンデータが縦方向に１／２に圧縮されて印字され、また、全角指定印字に対し倍角指定印字の際には、２４×２４ドットのキャラクタパターンデータが縦方向に２倍に伸張されて印字されるようになる。
【００４７】
よって、特に、縮小印字を行なった場合には、１ライン印字当たりの印字ピッチが短くなり、複雑な字画をした漢字等の文字の場合でも、個々の字画を正確に表現できるようになる。
【００４８】
なお、前記実施形態では、印刷データを文字データとして縮小／拡大印字動作する場合について説明したが、印刷データをイメージデータとして縮小／拡大印刷する場合でも、前記同様の紙送り制御を行なうことにより、特に縮小印刷時における印刷品質を向上することができる。
【００４９】
また、前記実施形態では、サーマルヘッド２８を備えたサーマルプリンタ１８を使用した場合の縮小／拡大印字動作について説明したが、例えばドットインパクト式のプリンタに対して前記同様の紙送り制御により縮小／拡大印字動作する構成としてもよい。
【００５０】
また、前記実施形態では、プリンタ制御部１７及びサーマルプリンタ１８内で構成されるデータ制御部２０と紙送り制御部２９により、１ライン印字データの指定文字サイズに応じてステッピングモータ３０の回転量をハード的に制御し、プラテン３１による紙送り量を調整する構成としたが、例えば記憶装置１３において、複数種類の印字サイズ（半角，全角，倍角，…）と各対応する記録紙搬送速度とを対応付けた記録紙搬送速度決定テーブルなる固定データを記憶させておき、前記同様の縮小／拡大印字動作を印刷制御プログラムによりソフト的に制御する構成としてもよい。この場合、前記縮小／拡大印字処理の手法は、コンピュータに実行させることができるプログラムとして、メモリカード（ＲＯＭカード、ＲＡＭカード等）、磁気ディスク（フロッピーディスク、ハードディスク等）、光ディスク（ＣＤ−ＲＯＭ、ＤＶＤ等）、半導体メモリ等の記憶媒体１３ａに格納して配布、あるいは通信回線１３ｂを介して伝送することができる。そして、コンピュータは、この記憶媒体１３ａに記録されたプログラムや通信回線１３ｂを介して伝送されたプログラムを記憶装置１３において読み込み、この読み込んだプログラムによって動作が制御されることにより、前記実施形態において説明した同様の機能を実現し、前述した手法による同様の処理を実行することができる。
【００５１】
【発明の効果】
この発明によれば、一定時間毎に所定量の印刷データを転送し，この転送された印刷データをラッチし、このラッチされた印刷データに応じて印刷ヘッドを駆動して、用紙の搬送に伴なって用紙に印刷するもので、指定された印刷サイズに応じて用紙の搬送速度を変更できるようにしたので、印刷データを用紙に対して印刷する際に印刷データのサイズ変更ができ、しかも印刷データを任意のサイズに容易に変更して印刷することができる。
【図面の簡単な説明】
【図１】本発明の実施形態に係わる印刷装置を搭載したＥＣＲ（電子式キャッシュレジスタ）の構成を示すブロック図。
【図２】前記印刷装置を搭載したＥＣＲにおけるプリンタ制御部及びサーマルプリンタの内部構成を示すブロック図。
【図３】前記印刷装置を搭載したＥＣＲにおけるサーマルプリンタの紙送り制御部に備えられたプラテンの回転量を示す図。
【図４】前記ＥＣＲのプリンタ制御部及びサーマルプリンタにおける全角印字指定の際の１ドットライン印字動作を示すタイミングチャート。
【図５】前記ＥＣＲのプリンタ制御部及びサーマルプリンタにおける半角印字指定の際の１ドットライン印字動作を示すタイミングチャート。
【図６】前記ＥＣＲのプリンタ制御部及びサーマルプリンタにおける倍角印字指定の際の１ドットライン印字動作を示すタイミングチャート。
【図７】前記ＥＣＲのプリンタ制御部及びサーマルプリンタにおける全角印字指定の際の印字動作に伴なう１行印刷データとその印刷状態を示す図。
【図８】前記ＥＣＲのプリンタ制御部及びサーマルプリンタにおける半角印字指定の際の印字動作に伴なう１行印刷データとその印刷状態を示す図。
【図９】前記ＥＣＲのプリンタ制御部及びサーマルプリンタにおける倍角印字指定の際の印字動作に伴なう１行印刷データとその印刷状態を示す図。
【図１０】前記ＥＣＲのプリンタ制御部及びサーマルプリンタにより半角印字，全角印字，倍角印字を行なった場合のレシート印刷状態を示す図。
【図１１】前記ＥＣＲのプリンタ制御部及びサーマルプリンタにおける１／４縮小印字及び３／４縮小印字指定の際の各１ドットライン印字動作を示すタイミングチャート。
【符号の説明】
１１  …ＣＰＵ、
１２  …入力装置、
１３  …記憶装置、
１３ａ…記憶媒体、
１３ｂ…通信回線、
１４  …ＲＡＭ、
１５  …ドロア装置、
１６  …表示装置、
１７  …プリンタ制御部、
１８  …サーマルプリンタ、
１９  …印字速度制御回路、
２０  …データ制御部、
２１  …紙送り制御部、
２２  …データ転送回路、
２３  …ラッチ制御回路、
２４  …ストローブ制御回路、
２５  …印字データレジスタ、
２６  …印字バッファ、
２７  …印字制御部、
２８  …サーマルヘッド、
２９  …紙送り制御回路、
３０  …ステッピングモータ、
３１  …プラテン。
【図１】
0003750254.tif 000002
【図２】
0003750254.tif 000003
【図３】
0003750254.tif 000004
【図４】
0003750254.tif 000005
【図５】
0003750254.tif 000006
【図６】
0003750254.tif 000007
【図７】
0003750254.tif 000008
【図８】
0003750254.tif 000009
【図９】
0003750254.tif 000010
【図１０】
0003750254.tif 000011
【図１１】
0003750254.tif 000012